(57)【要約】【課題】  本発明は簡易健康診断支援システムであり、鉄道の駅構内のみならず飛行機の空港内や船舶の港湾内に医療ステーションを設け、本システムを提供することを目的とするものである。【解決手段】鉄道の各駅構内に設けられ、通勤、通学、通過途中での健康診断が可能とされた各々の医療ステーションと、診断情報を分析する分析センターと、会員毎の医療管理を行う医療ステーション本体部と、ＩＤカードを発行する会員登録部と、を備え、前記各医療ステーションは、ＩＤカード認証部と、簡易健康診断部と診断情報送出部と医療相談部と緊急医療部とを有し、前記分析センターは、診断情報受け取り部と、診断情報分析部と、分析結果送信部と、を有し、前記医療ステーション本体部は、分析結果受信部と、分析結果検討判断部と、診断情報記憶管理部と、会員送出部と、を有する、ことを特徴とするものである。【選択図】              図１
2005148788.tif 000002
【特許請求の範囲】
【請求項１】
鉄道の各駅構内に設けられ、通勤、通学、通過途中での健康診断が可能とされた各々の医療ステーションと、
前記各々の医療ステーションで診断され、得られた診断情報を分析する分析センターと、
分析された診断情報を基に会員毎の医療管理を行う医療ステーション本体部と、
前記医療ステーションでの健康診断を希望する会員の登録を行い、ＩＤカードを発行する会員登録部と、
を備え、
前記各医療ステーションは、ＩＤカード認証部と、簡易健康診断部と診断情報送出部と医療相談部と緊急医療部とを有し、
前記分析センターは、
前記診断情報送出部に収集された診断情報を受け取る診断情報受け取り部と、受け取った診断情報を分析する診断情報分析部と、分析された診断情報を医療ステーション本体部へ送信する分析結果送信部と、を有し、
前記医療ステーション本体部は、
前記送信された分析結果を受信する分析結果受信部と、受信された分析結果を検討し判断する分析結果検討判断部と、検討し判断された結果を前記ＩＤカードが発行された会員毎に記憶して管理する診断情報記憶管理部と、
管理された診断結果を送出する会員送出部と、を有する、
ことを特徴とする簡易健康診断支援システム。
【請求項２】
前記請求項１に記載された簡易健康診断支援システムにおいて、
前記医療ステーション本体部には、蓄積された会員の診断情報を基に健康診断の診断項目を再検討する診断項目再検討部と、前記診断項目再検討部により再検討されて診断項目を取捨選択する診断項目取捨選択部と、前記診断項目取捨選択部により決定された新たな診断項目を外部の医療機関に発信する新診断項目発信部と、を含むことを特徴とする簡易健康診断支援システム。
【請求項３】
前記請求項１に記載された簡易健康診断支援システムにおいて、
前記医療ステーション本体部には、蓄積された会員の診断情報を基に各年代別の診断項目における基準値を変更設定する年代別基準値変更設定部と、前記年代別基準値変更設定部により変更設定された新たな基準値を外部の医療機関に発信する新基準値発信部と、を含むことを特徴とする簡易健康診断支援システム。
【請求項４】
前記請求項３に記載された簡易健康診断支援システムにおいて、
前記年代別基準値変更設定部には、蓄積された会員の診断情報を基に性別の診断項目における基準値を変更設定すること、を含むことを特徴とする簡易健康診断支援システム。
【発明の詳細な説明】
【技術分野】
【０００１】
本発明は、たとえば山手線の駅構内等の通勤、通学、通過最寄りの駅構内で簡易な健康診断が受けられ、かつ継続的に健康管理が行える簡易型健康診断支援システムに関するものである。
【０００２】
当該簡易型健康診断支援システムは、健康診断における受診形態の簡便性、受診コストの安価性並びに受診時間の長時間化性をもたらし、さらにこれらの利点が受診者の継続的な受診行動に連動するものとなる。
【０００３】
そして、受診者の生涯にわたる継続的受診行動は、受診者における疾病の早期発見、受診者の将来的な疾病予測、受診者の個人個人における各検査データの「基準値」の決定、さらには国民全体の年代別、性別の「基準値」への反映等大きな医療変革をもたらすものとなる。
【背景技術】
【０００４】
近年、サラリーマン、ＯＬなどの労働者あるいは学生等は多忙であり、通常なかなか健康診断を受診できないのが現状である。
【０００５】
また、大量の雇用者を有する企業あるいは学校等では毎年従業者、学生に対しての健康診断を実施しているが、毎回費用が安い病院等を選択して受注することがあり、固定された病院で継続的に健康診断の診断結果をそれぞれ記録し、連続管理することが困難な場合があった。
ここで、従来では健康診断のほかに健康上の異常を見いだせない人を対象とした健康度評価を重要視し生活習慣病予防対策などに向けて医療専門家が被観察者個人個人に有用な健康指導改善目標を与えるとした特開２００３−２１６７３６号公報に記載された発明が一般に知られている。
【０００６】
しかしながら、前記従来の発明では最寄りの駅構内で簡易な健康診断を実施するものでもなく、生涯に亘っての継続的健康診断受診行動による生涯健康動態の維持を企図したものでもなく、前記の継続的受診行動によってきわめて高い健康状態が把握できるものでもなかった。
【特許文献１】特開２００３−２１６７３６号公報
【発明の開示】
【発明が解決しようとする課題】
【０００７】
かくして、本発明は、例えば山手線の駅構内等の通勤、通学、通過等での最寄りの駅構内に設置された医療ステーション内で通勤、通学、通過途中であっても短時間でコストも安価なものとなり、しかも簡易な健康診断が受けられ、かつそのデータが継続的に管理されて継続的に受診者の生涯にわたっての健康管理が行える簡易型健康診断支援システムを提供することを目的とするものである。
【課題を解決するための手段】
【０００８】
本発明による簡易型健康診断支援システムは、
鉄道の各駅構内に設けられ、通勤、通学、通過途中での健康診断をも可能とされた各々の医療ステーションと、
前記各々の医療ステーションで診断され、得られた診断情報を分析する分析センターと、
分析された診断情報を基に会員毎の医療管理を行う医療ステーション本体部と、
前記医療ステーションでの健康診断を希望する会員の登録を行い、ＩＤカードを発行する会員登録部と、
を備え、
前記各医療ステーションは、ＩＤカード認証部と、簡易健康診断部と診断情報送出部と医療相談部と緊急医療部とを有し、
前記分析センターは、
前記診断情報送出部に収集された診断情報を受け取る診断情報受け取り部と、移送された診断情報を分析する診断情報分析部と、分析された診断情報を医療ステーション本体部へ送信する分析結果送信部と、を有し、
前記医療ステーション本体部は、
前記送信された分析結果を受信する分析結果受信部と、受信された分析結果を前記ＩＤカードが発行された会員毎に記憶して管理する診断情報記憶管理部と、
管理された診断結果を送出する会員送出部と、を有する、
ことを特徴とし、
または、
前記医療ステーション本体部には、蓄積された会員の診断情報を基に健康診断の診断項目を再検討する診断項目再検討部と、前記診断項目再検討部により再検討されて診断項目を取捨選択する診断項目取捨選択部と、前記診断項目取捨選択部により決定された新たな診断項目を外部の医療機関に発信する新診断項目発信部と、を含むことを特徴とし、
または、  
前記医療ステーション本体部には、蓄積された会員の診断情報を基に各年代別、性別の診断項目における基準値を変更設定する年代別基準値変更設定部と、前記年代別基準値変更設定部により変更設定された新たな基準値を外部の医療機関に発信する新基準値発信部と、を含むことを特徴とするものである。
【発明の効果】
【０００９】
本発明の簡易型健康診断支援システムによれば、例えば山手線の駅構内等の通勤、通学、通過等の最寄りの駅構内に設置された医療ステーション内で通勤、通学、あるいは買い物等の通過途中であっても短時間で簡易な健康診断が受けられ、かつそのデータが継続的に生涯にわたって管理され継続的な受診者の生涯健康管理が行えるとの優れた効果を奏する。
【発明を実施するための最良の形態】
【００１０】
以下、本発明による簡易型健康診断支援システムの実施の形態を図に基づいて説明する。
【実施例１】
【００１１】
図において符号１は本発明による簡易型健康診断支援システムに登録した会員を示す。
【００１２】
該会員１の募集は例えば１８歳以上での国民健康保険加入者並びに社会保険加入者等を中心に展開するものとされる。また、会員登録に当たっていわゆるＩＤカード２が発行され、該ＩＤカード２により本人確認、料金の引き落とし、データの受信、あるいはデータの保存ができるものとなっている。
この様に、本システムを運用するためには複数人の会員１・・・を募集することから始まる。そのためには本システムの概要案内が掲載されたパンフレットが外部に向けて配布される。
【００１３】
そして、本システムの会員１になることを希望する人には会員案内、会員登録申込書、会費支払い口座申込用紙が渡される。
【００１４】
ここで、例えば会費の振り込みが確認されると、会員１の登録手続が会員登録部２１（図１参照）で行われ、総合案内パンフレット、会員証（ＩＤカード２）、会員規約書、受診検査案内書、生涯健康管理ファイル、受診検査案内書（検査結果、解析、評価が保存されるもの）等が送られる。
【００１５】
そして、会員１となったものは希望のコースに基づき、最寄りの駅内２０に設けられた医療ステーション３で例えば年に複数回受診することが可能となり、生涯にわたっての継続的な自己健康管理システムが実施される。
【００１６】
ここで、前記医療ステーション３は鉄道の駅構内２０に設置されることは述べたとおりであるが、図６に示すように、例えば山手線内において、上野、東京、品川、渋谷、新宿、池袋駅等の駅構内２０、すなわち勤務地最寄りの駅構内に設置するの好ましい。
【００１７】
この様に通勤、通学、通過等の際における繁華駅たる最寄りの駅構内２０に設ければ例えばサラリーマンやＯＬ、学生等が通勤、通学、通過途中あるいは帰宅途中に気軽に立ち寄ることができるものとなる。
【００１８】
しかして、図５から理解されるように、当該医療ステーション３は駅構内２０の所定の箇所に例えば１０坪程度の広さで設けられ、登録された特定の会員１のみを認識すべくＩＤカードリーダ等で構成されたＩＤカード認証部４（会員登録部２１と兼用されていてもかまわない、また情報端末機器としても利用できる）が設けられている。
【００１９】
また、この医療ステーション３内には医療スタッフ５が常駐しており、医師６も常駐して健康診断、受診結果の対応、受診者との対話、所定の問診及びその他緊急の対応にも万全が期されている。
【００２０】
この医療ステーション３での重要な任務は前記会員１の簡易な健康診断を行うことである。しかして、会員１に対する健康診断は簡易健康診断部１４として前記の医療スタッフ５や医師６によって行われる。
【００２１】
そして、その内容は身体の測定並びに検体の検査で、その詳細は尿検査、血液検査、必要に応じての便検査、喀痰細胞診検査等であり、さらに前記の医療スタッフ５や医師６の問診も行われる。
【００２２】
その他特殊検査も行え、例えば血清学的検査、生化学特殊検査、ホルモン検査、ウイルス検査、遺伝子検査、腫瘍マーカー検査等が行える。
【００２３】
受診回数としては年間２回受診コース（６ヶ月毎）、年間３回受診コース（４ヶ月毎）、年間４回受診コース（３ヶ月毎）、年間６回受診コース（２ヶ月毎）、特殊検査コース等がある。
【００２４】
近年の医療技術は急速な進歩を遂げており、尿検査、血液検査等の簡単な健康診断によって大部分の疾病の有無が詳細に検査、把握できるものとなっている。
【００２５】
尚、この医療ステーション３では前記の簡易健康診断部４のほか診断情報送出部１７、医療相談部１８、緊急医療部１９が設けられており、会員１に対しての医療相談や例えば駅構内２０で発生した急患（会員１の有無を問わない）を収容し応急手当ができるようにも構成されている。さらには医療法律相談にも対応できるよう弁護士も定期あるいは不定期で配置される。
【００２６】
前記医療ステーション３で採取された会員１の尿や血液などの検体（診断情報）はバーコード等の認識手段によって会員１の特定認識が図られ、該特定された検体（診断情報）は運送手段（保冷手段が備えられた運搬車両例えば四輪車、トラック、バイクなど）によって分析センター７に送出される。
【００２７】
そして、分析センター７では診断情報受け取り部９によって診断情報が受け取られ、受け取った会員１の尿や血液などの診断情報については診断情報分析部１０によって検査、分析が行われる。
【００２８】
そして、その検査及び分析された分析結果はデータ化されて分析結果送信部１１によって例えば通信回線１２を介して医療ステーション本体部８へ送信される。尚、前記分析結果については前記の所定の運送手段（運搬車両例えば四輪車、トラック、バイクなど）によって送出しても構わない。
【００２９】
医療ステーション本体部８は前記の分析結果を受信する分析結果受信部１３と、受信された分析結果につき検討を加え、かつ判断する分析結果検討判断部２２と、検討判断された結果を前記ＩＤカード２が発行された会員１毎に記憶して生涯にわたって管理する検討判断結果記憶管理部１５と、管理された検討判断結果（例えば生涯健康管理ファイルが一例として挙げられる）を前記会員１に送出する会員送出部１６とを有して構成されている。
【００３０】
すなわち、検討判断された結果はコンピュータのＣＰＵ等制御部およびハードディスクで構成される制御部及び記憶部に該当する検討判断結果記憶管理部１５で会員１ごとに生涯にわたって整理されて記憶、管理される。そして、そのデータが当該会員１の前記した生涯健康管理ファイルとなるのである。
【００３１】
さらに、記憶、管理された検討判断結果（例えば生涯健康管理ファイル）は会員１に理解しやすい容易な表示方法によって表示できるものとされ、該当の医療ステーション３に送出される。すなわち、容易な表示方法としては結果を折れ線グラフあるいは棒グラフとして表示することなどが挙げられ、さらに前記のグラフ表示をカーラー表示とし、グラフ表示した各値につき、赤色で表示した部分は「危険」範囲と、また黄色で表示した範囲は「注意」とそして緑色は「安全」の範囲の様に表示でき、会員１をして一目瞭然の表示形態としうる。
【００３２】
しかして、この送出は通信によるデータ送出でもかまわないし、ペーパーによる分析結果表の送出でもかまわない。
【００３３】
さらに、会員１は前記のＩＤカード２を使用することにより、自分で情報端末機器としても利用できるＩＤカード認証部４から前記の結果をディスプレイ上で確認して認識することも出来る様に構成されている。
【００３４】
尚、将来的には会員１が所有する個々の携帯電話等のディスプレイ上にインターネットを介して前記結果を表示できるものとなる。
【００３５】
医療ステーション３では前記の検討判断結果を基に会員１に説明を行う。そして、必要に応じて高度医療機関への紹介、加療、入院等が必要なときはその旨を会員１に説明することとなる。
【００３６】
また、その必要がないときは診断で異常が見つからなかった旨を会員１に説明し、次回の健康診断を待つ。
【００３７】
尚、異常が見つからなかったときの結果データ値は随時その会員１の「基準値」の判断材料として蓄積されることになる。そして、「基準値」としてのデータが長年にわたって蓄積されれば、当該会員１の将来の疾病予測がきわめて容易に判断できるものとなる。    ところで、図７から理解されるように、医療ステーション本体部８には、蓄積された会員１の診断情報を基に健康診断の診断項目を再検討する診断項目再検討部２３と、前記診断項目再検討部２３により再検討されて診断項目を取捨選択する診断項目取捨選択部２４と、前記診断項目取捨選択部２４により決定された新たな診断項目を外部の医療機関に発信する新診断項目発信部２５をも含んで構成されている。
【００３８】
すなわち、例えば２０代から６０代に至る大量（例えば会員数が１０万人規模）の会員１につき継続的に本発明による健康診断を行う結果、大量の診断結果を取得して管理でき、そのデータを基に各種の解析、検討が出来る。例えば、そのデータを基に健康診断の診断項目を再検討することも出来ることとなる。
【００３９】
人間が発症する疾病の種類については時代により国により各種の条件により異なるものであり、過去に重要と思われた健康診断の診断項目が現在ではさほど重要性を持たなくなることが多々あるものである。この様な場合、蓄積され膨大な数となっている会員１の診断情報を基に健康診断の診断項目を診断項目再検討部２３で再検討し、診断項目取捨選択部２４で時代のニーズに即した診断項目にすべく診断項目を取捨選択するのである。
【００４０】
しかして、この様な手段は従来到底考えられなかったものである。
【００４１】
そして、新しく採択された健康診断の診断項目を新診断項目発信部２５により外部の医療機関に発信すれば、統一的な予防医療体制が整えられることになる。
【００４２】
さらに、医療ステーション本体部８には、蓄積された会員の診断情報を基に各年代別、性別の診断項目における基準値を変更設定する年代別基準値変更設定部２６と、前記年代別基準値変更設定部２６により変更設定された新たな基準値を外部の医療機関に発信する新基準値発信部２７をも含んで構成される。
健康診断の診断項目における例えば年代別あるいは性別に表された検査結果としての「基準値」については時代により国により各種の条件により異なるものであり、過去に「基準値」とされた値が現在では「基準値」とはされないことが多々ある。
【００４３】
この様な場合、蓄積され膨大な数となっている会員１の診断情報を基に健康診断の診断項目における検査結果たる「基準値」の値を年代別基準値変更設定部２６で検討して変更設定できるものとされている。
【００４４】
年代別基準値変更設定部２６で再検討し、時代のニーズに即した診断項目における「基準値」の値にできるのである。
【００４５】
しかして、この様な手段は従来到底考えられなかったものであり、新しく採択された健康診断の診断項目における検査結果たる「基準値」の値を新基準値発信部２７により外部の医療機関に発信すれば、さらに統一的な予防医療体制が整えられることになる。
【産業上の利用可能性】
【００４６】
本発明は鉄道の駅構内のみならず飛行機の空港内や船舶の港湾内に医療ステーションを設け、本システムを運用することができる。
【図面の簡単な説明】
【００４７】
【図１】本発明の構成説明図である。
【００４８】
【図２】医療ステーションの構成説明図である。
【００４９】
【図３】分析センターの構成説明図である。
【００５０】
【図４】医療ステーション本部の構成説明図（その１）である。
【００５１】
【図５】本実施例による医療ステーションの構成説明図である。
【００５２】
【図６】鉄道の路線と医療ステーションの設置状態を説明する説明図である。
【００５３】
【図７】医療ステーション本部の構成説明図（その２）である。
【００５４】
【図８】医療ステーション本部の構成説明図（その３）である。
【符号の説明】
【００５５】
１    会員
２    ＩＤカード
３    医療ステーション
４    ＩＤカード認証部
５    医療スタッフ
６    医師
７    分析センター
８    医療ステーション本体部
９    診断情報受け取り部
１０  診断情報分析部
１１  分析結果送信部
１２  通信回線
１３  分析結果受信部
１４  簡易健康診断部
１５  検討判断結果記憶管理部
１６  会員送出部
１７  診断情報送出部
１８  医療相談部
１９  緊急医療部
２０  駅構内
２１  会員登録部
２２  分析結果検討判断部
２３  診断項目再検討部
２４  診断項目取捨選択部
２５  新診断項目発信部
２６  年代別基準値変更設定部
２７  新基準値発信部
【図１】
2005148788.tif 000003
【図２】
2005148788.tif 000004
【図３】
2005148788.tif 000005
【図４】
2005148788.tif 000006
【図５】
2005148788.tif 000007
【図６】
2005148788.tif 000008
【図７】
2005148788.tif 000009
【図８】
2005148788.tif 000010